(57)【要約】      （修正有）【課題】毛髪に対してストレートやカールといった多様な形状を一つのヘアーアイロンで付与することができたり、カールを付与する際に、そのカール径を任意に調節しながら付与することのできるヘアーアイロンを提供する。【解決手段】第１毛髪挟持部５及び第２毛髪挟持部６がヒンジ部において開閉自在に構成されており、液体タンク８と、液体を加熱してスチームを発生させるスチーム発生部１０と、液体を液体タンク８からスチーム発生部１０に向けて移送する送液ポンプ９と、送液ポンプ９を介して液体タンク８からスチーム発生部１０とをつなぐ移送路と、スチーム発生部１０で発生したスチームが流入することにより大気圧よりも高い所定の圧力に維持される加圧空間７０を有するとともに、噴出時にはスチームを外方に向けて連続的に噴出する噴出部１１とを備えたことを特徴とするヘアーアイロン。【選択図】図２
2018158013.tif 000002
【特許請求の範囲】
【請求項１】
毛髪に触れる第１毛髪挟持面を有する第１毛髪挟持部及び前記第１毛髪挟持面と対向するように配置される第２毛髪挟持面を有する第２毛髪挟持部がヒンジ部において開閉自在に構成されており、前記第１毛髪挟持部及び前記第２毛髪挟持部が閉じている閉じ位置に位置する時に毛髪を挟持するとともに所定温度のスチームと熱を用いて前記毛髪に対して所定の癖付けを行うヘアーアイロンであって、
所定量の液体を貯留可能に形成されている液体タンクと、
前記液体を加熱することによりスチームを発生させるスチーム発生部と、
前記液体を前記液体タンクから前記スチーム発生部に向けて移送する送液ポンプと、
前記送液ポンプを介して前記液体タンクから前記スチーム発生部とをつなぐ移送路と、
前記スチーム発生部で発生した前記スチームが流入することにより大気圧よりも高い所定の圧力に維持される加圧空間を有するとともに、噴出時には前記スチームを外方に向けて連続的に噴出する噴出部とを備えたことを特徴とするヘアーアイロン。
【請求項２】
スチーム発生部は、液体を加熱するための第１加熱部を備え、
第１毛髪挟持部は、噴出部を内部に備えるとともに、前記噴出部から噴出するスチームを外部に噴出させる噴出孔と、第１毛髪挟持面を加熱するとともに加圧空間内に貯留されている前記スチームを加熱するための第２加熱部を備えている請求項１記載のヘアーアイロン。
【請求項３】
第２加熱部は、加圧空間内に貯留されているスチームも加熱するように構成されている請求項２記載のヘアーアイロン。
【請求項４】
第１毛髪挟持部と第２毛髪挟持部とが互いに離間したことを検知する検知手段と、
ヘアーアイロンの電気的な制御を行う制御部とをさらに備えており、
前記制御部は、前記第１毛髪挟持部及び前記第２毛髪挟持部が互いに離間したことを前記検知手段が検知し、その後さらに前記第１毛髪挟持部と前記第２毛髪挟持部が互いに接近していることを検知すると送液ポンプの駆動を開始し、その送液ポンプの駆動を開始したのち所定時間経過した時には前記送液ポンプの駆動を停止するように制御する請求項１から３のいずれかに記載のヘアーアイロン。
【請求項５】
液体タンクは、
液体を貯留する貯留部を有するタンク本体と、
前記タンク本体の内部に配置されており、一端側の端部は前記液体が流入する流入口を有するとともに、他端側の端部は移送路と連通する流入部とを有しており、
前記流入部は、一端側の端部が前記液体タンクの位置によらず下向きに位置する状態となるように構成されている請求項１から４のいずれかに記載のヘアーアイロン。
【発明の詳細な説明】
【技術分野】
【０００１】
本発明は、毛髪を所定の形状に仕上げるためのヘアーアイロンに関する。
【背景技術】
【０００２】
従来から、毛髪を所定の温度まで加熱して、毛髪をストレートやカール等のような種々の形状に仕上げることのできるヘアーアイロンが知られている。一般的に、このようなヘアーアイロンでは、二つのアームをヒンジで開閉可能に固定して、ヒンジに近い基端側を使用者が把持する把持部とし、ヒンジから遠い先端側を使用者が毛髪に癖付けを行う加熱部となるように構成されている。
【０００３】
また、従来のヘアーアイロンでは、この加熱部は二つのアームが互いに対抗する位置に設けられており、この対向面が毛髪を挟持する毛髪挟持面となっている。これら毛髪挟持面は、アームに内蔵されているヒータ等の加熱手段によって所定温度まで加熱されており、使用者が電源をオンにして毛髪を挟むと、挟持面から毛髪に伝わる熱によって、使用者の毛髪に対して所定の形状を付与することができる。
【０００４】
このような構成を持つヘアーアイロンは従来から種々のものが知られている。例えば、下記に示す特許文献１に記載されたヘアーアイロンでは、受けパイプと押さえパイプとからなるアイロンパイプと、このアイロンパイプを加熱する加熱手段を備え、受けパイプと押さえパイプとの当接面をストレートアイロン面にし、受けパイプと押さえパイプの外周面をカール付け面にしている。また、特許文献１に記載されたヘアーアイロンでは、受けパイプの先端に水タンクを配置しており、この水タンクがパイプの長さ方向に移動自在に取り付けられている。また、この水タンクには、フェルト状の導水部材が設けられており、使用者がこの水タンクを移動させて加熱手段への導水部材の押し当て強さを調節することによって、水タンクから加熱手段への水の供給量を調節し、蒸気の発生量を調節することができるように構成されている。
【先行技術文献】
【特許文献】
【０００５】
【特許文献１】特開２０１０−２４１８１２号公報
【発明の概要】
【発明が解決しようとする課題】
【０００６】
しかしながら、特許文献１に記載されたヘアーアイロンは、蒸気を発生させるときは使用者が水タンクをパイプの内部へ押し込む方向に操作しながらヘアーアイロンを使用しなければならなかったので、操作性が良くないという問題があった。また、この特許文献１に記載されたヘアーアイロンは、水タンクの先端に設けられている導水部材の押し当て強さによって水タンクから加熱手段への水の供給量が調節されるので、一定量の水を供給することが難しく、また導水部材の押し当て強さが強くなりすぎると加熱手段が水タンクから供給された水を蒸気にしきれず、加熱された水が液体のまま使用者の毛髪に供給されるおそれがあるという問題もあった。
【０００７】
そこで、本願出願人は、上記した特許文献１が有する問題を解決するためのヘアーアイロンとして、特願２０１５−２０７８９７の特許出願を行った。特願２０１５−２０７８９７に係るヘアーアイロンは、第１加熱面を有する第１毛髪挟持部を備えた第１把持部と、第２加熱面を有する第２毛髪挟持部を備えた第２把持部と、これら第１把持部と第２把持部とを連結する連結部と、第１加熱面を加熱する第１加熱部と、第２加熱面を加熱する第２加熱部とを備えており、液体を貯留するための液体貯留部と、この液体貯留部に貯留された液体が供給されるチャンバと、供給された液体が蒸発する温度にまでチャンバ内を加熱する第３加熱部とを有する液体蒸発部と、液体貯留部に貯留された液体をチャンバに所定量ずつ送る送液ポンプと、上記した第１加熱面及び第２加熱面の少なくともいずれかに設けられ、このチャンバ内で蒸発した蒸気を放出する放出孔とを備えている。
【０００８】
特願２０１５−２０７８９７に係るヘアーアイロンは、このような構成とすることによって、コンパクトな形状にすることができ、使用者の使い勝手が良く、使用者の毛髪に対する癖付けなどの作業を非常に行いやすくすることができるという、上記した特許文献１に係るヘアーアイロンが持っていた課題を解決したものであった。
【０００９】
ところが、近年は、毛髪に対してストレートやカールの両方の形状を付与することのできる機能や、また毛髪をカールさせる場合であっても、単に所定の径でカールさせるだけではなく、そのカールの径にバリエーションを持たせると言った機能のように、従来よりもさらに高度な機能を持つヘアーアイロンを求めるニーズが高くなってきている。
【００１０】
上記した通り、特願２０１５−２０７８９７では、特許文献１に係るヘアーアイロンが持つ課題を解決して当初の効果を奏することができていた。しかしながら、上記したようなさらに高度な機能を求めるニーズに対しては十分にこたえることができず、更なる改良点が求められていた。
【００１１】
そこで、本発明は、毛髪に対してストレートやカールといった多様な形状を一つのヘアーアイロンで付与することができたり、カールを付与する際に、そのカール径を任意に調節しながら付与することのできるヘアーアイロンを提供することを目的とする。
【課題を解決するための手段】
【００１２】
本発明は、
（１）毛髪に触れる第１毛髪挟持面を有する第１毛髪挟持部及び前記第１毛髪挟持面と対向するように配置される第２毛髪挟持面を有する第２毛髪挟持部がヒンジ部において開閉自在に構成されており、前記第１毛髪挟持部及び前記第２毛髪挟持部が閉じている閉じ位置に位置する時に毛髪を挟持するとともに所定温度のスチームと熱を用いて前記毛髪に対して所定の癖付けを行うヘアーアイロンであって、所定量の液体を貯留可能に形成されている液体タンクと、前記液体を加熱することによりスチームを発生させるスチーム発生部と、前記液体を前記液体タンクから前記スチーム発生部に向けて移送する送液ポンプと、前記送液ポンプを介して前記液体タンクから前記スチーム発生部とをつなぐ移送路と、前記スチーム発生部で発生した前記スチームが流入することにより大気圧よりも高い所定の圧力に維持される加圧空間を有するとともに、噴出時には前記スチームを外方に向けて連続的に噴出する噴出部とを備えたことを特徴とするヘアーアイロン、
（２）スチーム発生部は、液体を加熱するための第１加熱部を備え、第１毛髪挟持部は、噴出部を内部に備えるとともに、前記噴出部から噴出するスチームを外部に噴出させる噴出孔と、第１毛髪挟持面を加熱するとともに加圧空間内に貯留されている前記スチームを加熱するための第２加熱部を備えている上記（１）記載のヘアーアイロン、
（３）第２加熱部は、加圧空間内に貯留されているスチームも加熱するように構成されている上記（２）記載のヘアーアイロン、
（４）第１毛髪挟持部と第２毛髪挟持部とが互いに離間したことを検知する検知手段と、ヘアーアイロンの電気的な制御を行う制御部とをさらに備えており、前記制御部は、前記第１毛髪挟持部及び前記第２毛髪挟持部が互いに離間したことを前記検知手段が検知し、その後さらに前記第１毛髪挟持部と前記第２毛髪挟持部が互いに接近していることを検知すると送液ポンプの駆動を開始し、その送液ポンプの駆動を開始したのち所定時間経過した時には前記送液ポンプの駆動を停止するように制御する上記（１）から（３）のいずれかに記載のヘアーアイロン、
（５）液体タンクは、液体を貯留する貯留部を有するタンク本体と、前記タンク本体の内部に配置されており、一端側の端部は前記液体が流入する流入口を有するとともに、他端側の端部は移送路と連通する流入部とを有しており、前記流入部は、一端側の端部が前記液体タンクの位置によらず下向きに位置する状態となるように構成されている上記（１）から（４）のいずれかに記載のヘアーアイロンを要旨とする。
【発明の効果】
【００１３】
本発明によれば、毛髪に対してストレートやカールの両方の形状を一つのヘアーアイロンで付与することができたり、カールを付与する際に、そのカール径を任意に調節しながら付与することができ、使用者のニーズにより適合したヘアーアイロンを提供することができる。
また、本発明によれば、ヘアーアイロンに液体タンク等をはじめとする使用時に要する部材を一体的に取り付けているので、使用時におけるヘアーアイロンの取り回しや取扱いが非常にしやすくすることができる。そのため、使用者が感じる取扱いの煩雑さやそれに伴って生じる作業の非効率化を効果的に防止し、作業の効率化を図ることもできる。
【図面の簡単な説明】
【００１４】
【図１】本発明に係るヘアーアイロンの実施の形態を表す外観斜視図であり、（ａ）図は閉じ位置に位置する状態を表した図、（ｂ）図は開き位置に位置する状態を表した図である。
【図２】ヘアーアイロンの断面図である。
【図３】ヘアーアイロンのスチーム発生部の構成を表す説明図である。
【図４】ヘアーアイロンの液体タンクの構成を表す断面図であり、（ａ）図は液体タンクを正面側から見た場合の断面図、（ｂ）図は液体タンクを平面側から見た場合の断面図である。
【図５】ヘアーアイロンの電気的構成を説明するためのブロック図である。
【図６】ヘアーアイロンの動作を説明するためのフローチャートである。
【発明を実施するための形態】
【００１５】
本発明に係るヘアーアイロンの構成を以下において具体的に説明する。なお、本明細書では、本発明に係るヘアーアイロンの一つの例として、毛髪を所定のカール形状に仕上げるようなカール機能を持つヘアーアイロンを用いて説明するが、本発明はこのようなカール機能を持つヘアーアイロンに限定されない。例えば、本発明は、毛髪をストレートにするストレータ機能を持つヘアーアイロンや、カール機能及びストレータ機能の両方をも持つヘアーアイロンにも任意に適用することができる。なお、本明細書におけるヘアーアイロンでの「基端」と「先端」については、「基端」が使用者が手にするグリップ部に近い側であるとし、「先端」が毛髪を挟持する毛髪挟持部に近い側であるとして説明する。グリップ部や毛髪挟持部については、下記において詳細に説明する。
【００１６】
［ヘアーアイロン１の外観構成について］
図１及び図２に示すように、本実施の形態に係るヘアーアイロン１は、基端側から先端側に向けて、グリップ部２及び毛髪挟持部３を有している。また、本実施の形態に係るヘアーアイロン１は、該ヘアーアイロン１のベースとなる本体部４に対して後述する第２毛髪挟持部６としてのクリップ板３１が取り付けられて構成されている。
【００１７】
まず、本体部４の構成について説明する。本体部４は、ヘアーアイロン１のベースとなる部分であり、中空状に形成された筐体７と、この筐体７の内部に配置されている液体タンク８、送液ポンプ９、スチーム発生部１０及び噴出部１１とを有している。また、これら液体タンク８と送液ポンプ９との間には、移送路としての第１移送管１２が配置され、送液ポンプ９とスチーム発生部１０との間には、同じく移送路としての第２移送管１３が配置されている。さらにスチーム発生部１０と噴出部１１との間には第３移送管１４が配置されている。
【００１８】
筐体７には、基端側に近い位置、すなわちグリップ部２に操作表示部１５が設けられている。この操作表示部１５は、ヘアーアイロン１の各種の動作を操作するためのもので、筐体７の上面側に位置するように設けられている。この操作表示部１５は、使用者がヘアーアイロン１の電源をオン又はオフする時に操作する電源スイッチ１６、使用者がヘアーアイロン１を使用する時に毛髪に対して付与する熱、すなわち後述する第２毛髪挟持面２２の温度を設定する時に使用する温度設定スイッチ１７と、第２毛髪挟持面２２の温度を表示する温度表示部１８とから構成されている。なお、上記した操作表示部１５は、上記した各種のスイッチや表示部に限定されるものではなく、上記したもの以外のスイッチや表示部を任意に選択して設けてもよい。
【００１９】
また、筐体７には、基端側に近い位置、すなわちグリップ部２にタンク取付部２４が設けられている。このタンク取付部２４は、筐体７の下面側に開口するように形成されており、ここに液体タンク８が取付固定できるようになっている。また、図１等に示すように、タンク取付部２４は、本実施の形態では長手方向において操作表示部１５よりも基端側に位置するように設けられているが、操作表示部１５との関係における配置はこれに限定されるものではない。しかし、タンク取付部２４をグリップ部２に配置する場合には、使用者がヘアーアイロン１を持つときに液体タンク８が手に当たって煩わしさを感じない位置であることが好ましく、この意味ではグリップ部２においてもより基端側に配置することが好ましい。
【００２０】
このタンク取付部２４は、後述する液体タンク８を使用者などが任意に着脱できるように構成されている。液体タンク８をタンク取付部２４に取付固定する方法や構成は従来から知られている任意の方法を用いてよい。
【００２１】
また、筐体７には、毛髪挟持部３の所定の位置、すなわち、筐体７の内部に噴出部１１が配置されている位置に噴出孔２５が開口形成されている。この噴出孔２５は、噴出部１１から噴出されるスチームを筐体７の外方に向けて噴出させるための孔である。本実施の形態では、図１（ｂ）に示すように長手方向に２列となって噴出孔２５が複数個設けられている。噴出孔２５は、毛髪挟持部３においては全体的にスチームを噴出することができるように、一定の間隔で複数個設ける噴出孔群２６として設けることが好ましい。また、図１（ｂ）に示しているように、その噴出孔群２６を複数列にして設けることがより好ましい。また、このように複数の噴出孔群２６を設ける場合には、図１（ｂ）に示すように、それぞれの噴出孔群２６を構成する噴出孔２５の長手方向における位置が互いに交互に位置するように配置することが好ましい。このように配置することによって、毛髪に対してより均一にスチームを噴出することができ、カール機能をより効果的に発揮させることができるようになる。
【００２２】
次に、筐体７のグリップ部２の構成について説明する。グリップ部２は、ヘアーアイロン１において基端側に形成されており、このグリップ部２を使用者が手にもってヘアーアイロン１を用いた各種の施術を行うことができるようになっている。このグリップ部２は、使用者が手に取った時に、手にフィットする形状であることが好ましい。このような形状にすることで、使用者が施術を行う際により細かくかつ違和感なく施術を行うことができ、使用時の煩わしさを感じないヘアーアイロン１にすることができる。また、このグリップ部２に上記した操作表示部１５を配置することが使用者の操作のしやすさ、ヘアーアイロン１の状態の確認のしやすさなどの観点から好ましい。
【００２３】
また、筐体７には、後述するレバー３３が筐体７に近づく方向に移動してきた際に、レバー３３が近接していることを検知してオン又はオフの切換を行う近接スイッチ２７が設けられている。この近接スイッチ２７は、レバー３３に設けられている検知用の部材が所定量の位置まで近接するか否かによってオン又はオフの動作を切り換えることができるようになっている。なお、本実施の形態における近接スイッチ２７は例えば磁気スイッチが挙げられるが、これに限定されるものではなく、従来から公知のものを任意に選択して用いてよい。
【００２４】
次に、毛髪挟持部３の構成について説明する。毛髪挟持部３は、ヘアーアイロン１においてはグリップ部２よりも先端側に位置する箇所に形成されており、筐体７の内部においては噴出部１１が位置する箇所に形成されている。この毛髪挟持部３は、第１毛髪挟持部５と第２毛髪挟持部６とを有している。第１毛髪挟持部５は、筐体７の上面に上記した噴出孔２５又は噴出孔群２６が形成されている部分である。図１に示すように、第１毛髪挟持部５はバレル形状をしており、毛髪に触れる第１毛髪挟持面２１が曲面となるように形成されている。また、第１毛髪挟持部５の先端側の端部においては、先端へ行くにつれて外径が細くなるテーパ状に形成されている。このテーパ状に形成されている部分は、使用者がヘアーアイロン１を持った時に使用者の指が触れる部分であり、ヘアーアイロン１を使用する時の使用者の指への負担を少なくするようになっている。つまり、使用者は、ヘアーアイロン１を使って毛髪にカールを付与する等のような施術を行う時に左手又は右手のいずれか一方の手で毛髪挟持部３を握り、左手又は右手のいずれか他方の手の指でテーパ状に形成された部分をつまみ、ヘアーアイロン１を回転させる動作を行う。その際、第１毛髪挟持部５の先端側の端部をテーパ状にすることによって、使用者が握りやすくなり、使用者にとって指の負担が少なくてもすむとともにヘアーアイロン１の回転動作をやりやすくすることができるようになっている。
【００２５】
第２毛髪挟持部６は、本実施の形態では筐体７に取付固定されている。この第２毛髪挟持部６は、クリップ板３１、ヒンジ部３２及びレバー３３から構成されており、基端側から先端側に向けて、レバー３３、ヒンジ部３２及びクリップ板３１の順で配置されるように構成されている。この第２毛髪挟持部６は、ヒンジ部３２においてビス止め等の方法によって筐体７に取り付けられている。そして、このヒンジ部３２を中心にして回動することができるように構成されている。すなわち、レバー３３を下げるとヒンジ部３２を中心としてクリップ板３１が上がる方向に回動し、逆にレバー３３を挙げるとヒンジ部３２を中心としてクリップ板３１が下がる方向に回動するように構成されている。
【００２６】
クリップ板３１は、第２毛髪挟持部６の先端側に位置するように配置されており、筐体７との関係においては第１毛髪挟持部５と対向する位置に配置されている。このクリップ板３１は、上記したようにヒンジ部３２を中心として上下方向に回動することができるようになっている。すなわち、ヘアーアイロン１においては、クリップ板３１が第１毛髪挟持部５と近接している状態、すなわち図１（ａ）に示している状態である時は、第１毛髪挟持部５と第２毛髪挟持部６とが閉じている閉じ位置に位置していることとなり、クリップ板３１が第１毛髪挟持部５と離間している状態、すなわち図１（ｂ）に示している状態である時は、第１毛髪挟持部５と第２毛髪挟持部６とが開いている開き位置に位置していることになる。
【００２７】
このクリップ板３１は、閉じ位置に位置している時に第１毛髪挟持部５における第１毛髪挟持面２１と対向する面が第２毛髪挟持面２２となっている。またこのクリップ板３１は、第１毛髪挟持部５の形状に沿う曲面形状となるように形成されている。つまり、クリップ板３１は、閉じ位置に位置している時に、第１毛髪挟持面２１と第２毛髪挟持面２２との距離がどの位置でも同じ距離となるような形状に形成されている。なお、ここでの「同じ距離」の「同一」とは、厳密な意味で同一であることを意味するのではなく、所定の誤差の範囲内において同一であることを意味する。
【００２８】
レバー３３は、第２毛髪挟持部６においては基端側に位置しており、さらに該レバー３３の基端側の端部はグリップ部２に近接するように配置されている。これは、使用者が施術時にレバー３３を上げ下げする操作を行うことによってクリップ板３１を上下に回動させ、第１毛髪挟持部５と第２毛髪挟持部６とを閉じ位置にしたり開き位置にしたりするため、使用者がより操作しやすくするためである。
【００２９】
［液体タンク８の構成について］
図４に示すように、ヘアーアイロン１の液体タンク８（以下、単に液体タンク８という）は、所定量の液体を貯留することのできる貯留部４１を有するタンク本体４２と、このタンク本体４２の内部を密閉する蓋部４３とを備えている。また、この蓋部４３には、該蓋部４３に対して回転可能に取り付けられており、貯留部４１に貯留されている液体を流入する流入口４４を有する流入管４５を備えている。この流入管４５は、流入口４４が形成されている一端部に錘４６が取り付けられており、タンク本体４２の姿勢や位置に関らず、流入口４４が常に下方に向けて位置するように構成されている。なお、図示はしていないが、これらタンク本体４２と蓋部４３とは、シーリング材によってシールされており、これによって液体タンク８内の密閉状態が維持されるように構成されている。
【００３０】
蓋部４３は、第１移送管１２の一端部と接続可能に形成された接続部４７が上方に向けて突出するように形成されている。この接続部４７は、例えば第１移送管１２の一端部に対して圧入などの方法によって接続することができるように構成されている。なお、本実施の形態では圧入することで第１移送管１２と蓋部４３とを接続する構成を示して説明しているが、これは一つの例に過ぎないものであり、他の構成、例えばネジ固定すること等のような他の構成で第１移送管１２と蓋部４３とを接続してもよい。なお、これら第１移送管１２と蓋部４３とは、液体タンク８内に液体を補充する必要があることから、取り外しができるような構成であることが好ましい。このように構成することで、使用者が適宜必要に応じて簡単に取り外して液体を補充することができ、ヘアーアイロン１をより使いやすくし、煩雑さを軽減させることができるようになる。
【００３１】
また、蓋部４３は、接続部４７とは反対側において、該蓋部４３の下方に向けて突出する突出部４８が形成されている。この突出部４８は、後述する回動部材の一端部が回動可能な状態で支持されるようにするためのものである。この突出部４８は、外径が回動部材の一端部に形成されている凹部５２の内径よりも若干小さくなるように形成されており、回動部材が回動する時に、抵抗なくスムーズに動作しながら回動をサポートすることができるように構成されている。
【００３２】
なお、図４（ａ）に示すように、蓋部４３における接続部４７と突出部４８は、蓋部４３を平面視した時の略中央部に位置する箇所に形成されており、これら接続部４７と突出部４８との略中心に貫通孔４９が貫通形成されている。この貫通孔４９は、貯留部４１に貯留されている液体が通過するように形成されている。また、この貫通孔４９には、後述する保持管５２が下側から圧入されるようになっている。
【００３３】
流入管４５は、貯留部４１に貯留されている液体を流入するとともに移送するためのものである。この流入管４５は、図４（ａ）に示すようにＬ字形状に形成されている。なお、この流入管４５は、金属などのような硬質の材料で形成してもよいし、可撓性を有する材料で形成してもよい。本実施の形態では硬質の材料で形成している例を用いて説明するが、これに限定されるものではない。
【００３４】
図４（ａ）に示すように、流入管４５は、回動部材としての第１流入管５０、第２流入管５１及び保持管５２で構成されている。第１流入管５０は、一端側の端部に蓋部４３の突出部４８に対して嵌合可能な凹部５２を有しており、この凹部５２に突出部４８が嵌合された状態で図４（ａ）中のＡ方向に回動することができるように構成されている。この第１流入管５０はストレート管が用いられており、一端側の端部以外の箇所は、一端側の端部の外径よりも小径となるように形成されている。また、この一端側の端部以外の箇所は、第２流入管５１が圧入等の方法によって圧入されるようになっている。さらに、この第１流入管５０は、他端側の内径が他の部分の内径よりも大径になるように形成されており、この部分に保持管５２の他端側端部に形成されている鍔部５３が配置される。
【００３５】
図４（ａ）に示すように、この第１流入管５０は、一端側の端部が蓋部４３の突出部４８によってサポートされ、他端側の端部が保持管５２の鍔部５３によってサポートされることにより、Ａ方向にスムーズに回動することができるように構成されている。
【００３６】
第２流入管５１は、一端側の端部に錘４６が設けられているＬ字形状の管状部材である。この第２流入管５１は、他端側の端部からＬ字に屈曲する屈曲部５４までの箇所が第１流入管５０を圧入する圧入部５５となっている。即ち、この第２流入管５１は、第１流入管５０に圧入することによって一体形成されており、これら第１流入管５０及び第２流入管５１が一体的に回動するように構成されている。
【００３７】
上記した通り、第２流入管５１の一端側端部には錘４６が設けられている。この錘４６は、例えば樹脂、金属等のような材料を用いることが好ましいが、これに限定されるものではない。第２流入管５１が錘４６を有することによって、該錘４６に形成されている流入口４４が常に下方を向くように位置するようになる。即ち、ヘアーアイロン１は、使用者の使用状態によって様々な姿勢で使用されるところ、第２流入管５１が錘４６を有しており、上記したように第１流入管５０が図４（ａ）中のＡ方向に回動することができるように構成されていることによって、流入口４４が常に下方を向くように位置させることができる。また、ヘアーアイロン１の姿勢が変わると、それに伴って第１流入管５０及び第２流入管５１が回動し、やはり錘４６が下側に位置し、流入口４４が下方を向くように位置させることができる。一方、貯留部４１に貯留する液体は、ヘアーアイロン１がどのような姿勢であっても貯留部４１内においては常に下部に位置することになるので、流入口４４が常に下方を向くことによって、ヘアーアイロン１の姿勢がどのような状態であっても、安定して液体を流入口４４から流入させ、送液ポンプ９やスチーム発生部１０まで供給することができるようになっている。
【００３８】
保持管５２は、一端側の端部が蓋部４３の突出部４８に貫通形成している貫通孔４９の内部に圧入され、他端側の端部が第１流入管５０の他端側端部の大径部に位置するように配置されるストレート管の部材である。この保持管５２は、第１流入管５０が回動する際に、抵抗なくスムーズに回動することができるようにサポートするためのものである。なお、この保持管５２の材質は従来から公知のものを任意に選択して適宜用いてよい。
【００３９】
［送液ポンプ９の構成について］
送液ポンプ９は、液体タンク８内の貯留部４１からスチーム発生部１０に向けて送液するためのものであり、筐体７内に配置されている。この送液ポンプ９は、液体が流入する一端側の端部が第１移送管１２と接続され、液体を流出する他端側の端部が第２移送管１３と接続されている。この送液ポンプ９は、動作を開始すると、一端側の端部に接続された第１移送管１２内の液体、即ち貯留部４１内の液体を流入し、さらにその流入した液体を第２移送管１３を通じてスチーム発生部１０に向けて移送するように吐出して送り出す。即ち、送液ポンプ９は、動作を開始すると、貯留タンク内に貯留されている液体をスチーム発生部１０に送液するようになっている。なお、この送液ポンプ９は、従来から公知のものを任意に選択して用いてよく、また送液ポンプ９の駆動方式も従来から公知のものを任意に選択して用いてよい。
【００４０】
［スチーム発生部１０の構成について］
スチーム発生部１０は、流入側の端部が第２移送管１３と接続し、流出側の端部が第３移送管１４と接続して構成されている。図３に示すように、このスチーム発生部１０は、チャンバ６１、密閉蓋部材６２、蒸気通路６３、第１通過室６４及び第２通過室６５を有している。チャンバ６１は、内部に蒸発空間６６が形成されている容器状の部材である。このチャンバ６１は、第２移送管１３から内部に流入した液体を蒸発させることにより蒸気を発生させ、さらに蒸気通路６３に蒸気を通過させて第３移送管１４から外部に流出させるように構成されている。また、チャンバ６１は、内部に第１通過室６４及び第２通過室６５が形成されるとともに、これら第１通過室６４及び第２通過室６５の間に蒸気通路６３が形成されている。第１通過室６４は、密閉蓋部材６２を閉じて蒸発空間６６を密閉した時に、第２移送管１３の端部が配置される空間であり、この第１通過室６４に、第２移送管１３により供給される液体が流入するようになっている。また、第２通過室６５は、密閉蓋部材６２を閉じて蒸発空間６６を密閉した時に、第３移送管１４の端部が配置される空間であり、この第２通過室６５にて、蒸気通路６３を通過してきた蒸気が第３移送管１４に流入し、外部に移送されるように構成されている。
【００４１】
蒸気通路６３は、第１通過室６４と第２通過室６５の間をつなぐ通路であり、第１通過室６４で発生した蒸気がこの蒸気通路６３を通過して第２通過室６５へ到達するように構成されている。図３に示すように、この蒸気通路６３は、ストレートに結ばれておらず、第１側壁６７及び第２側壁６８によって折れ曲がるようにして形成されている。これは、蒸気通路６３をストレートに形成すると、第１通過室６４で発生した蒸気のうちの一部が第２通過室６５へ到達する際に蒸気の温度にムラが生じやすくなってしまい、噴出部１１に供給する蒸気に温度ムラが生じる恐れがあるからである。このような恐れを防止して均一な温度の蒸気を噴出部１１に供給するために、第１側壁６７及び第２側壁６８を形成することによって蒸気通路６３を折れ曲がるように形成している。蒸気通路６３をこのように形成することで、折れ曲がる地点で発生した蒸気が混ざりあうので、温度の高い蒸気と温度の低い蒸気とが混合し合い、均一な温度の蒸気となって第２通過室６５へ移送されるようになっている。
【００４２】
密閉蓋部材６２は、チャンバ６１の上部に配置することによってチャンバ６１内の蒸発空間６６を密閉するためのものである。この密閉蓋部材６２は、一端側に第２移送管１３が挿通し、他端側に第３移送管１４が挿通するように形成されている。例えば、密閉蓋部材６２に第２移送管１３が挿通可能な孔と第３移送管１４が挿通可能な孔を形成して、その孔に第２移送管１３と第３移送管１４とを挿通するようにしてもよい。なお、この第２移送管１３及び第３移送管１４を挿通する構成は他の構成であってもよい。
【００４３】
［第１加熱部６９の構成について］
第１加熱部６９は、スチーム発生部１０を１５０℃から２００℃に加熱するためのものである。この第１加熱部６９はスチーム発生部１０の下方においてスチーム発生部１０と接するように配置されており、発生させた熱を効率よくスチーム発生部１０に伝えることができるように構成されている。なお、この第１加熱部６９には、加熱ヒータ等の各種ヒータ部材を用いることができるが、スチーム発生部１０の温度を１５０℃から２００℃に加熱することができればよく、その大きさなどは特に限定されない。
【００４４】
［噴出部１１の構成について］
噴出部１１は、スチーム発生部１０において発生した蒸気を噴出させるためのものである。噴出部１１は、筐体７内部において、該筐体７に形成されている噴出孔２５又は噴出孔群２６が開口形成している箇所と対応する箇所に配置されており、この噴出部１１から噴出する蒸気が噴出孔２５又は噴出孔群２６から筐体７の外部に向けて噴出させることができるように構成されている。また、図２においては図示していないが、この噴出部１１が形成されている箇所は筐体７の内部において側壁等によって仕切られた空間が形成されており、この空間内の圧力はスチーム発生部１０から供給される蒸気が流入することによって、その内圧（圧力）が大気圧よりも高い圧力となるように構成されている。すなわち、この空間は、加圧空間７０となるように構成されている。
【００４５】
このように、加圧空間７０を形成して、内圧を大気圧よりも高い圧力に維持することによって、噴出部１１から噴出した蒸気を噴出孔２５又は噴出孔群２６から噴出させるときに、どの場所の噴出孔２５又は噴出孔群２６から噴出させた場合であっても、その噴出強さを均一に保つことができる。つまり、噴出孔２５や噴出孔群２６は、筐体７の長手方向において基端側から先端側にかけて一定の間隔で開口形成されている一方、蒸気は基端側から流入するため、通常の大気圧と同じ圧力で蒸気を噴出させると基端側の噴出力が先端側の噴出力よりも強くなり、その噴出孔２５又は噴出孔群２６の場所によって噴出強さにバラつきが生じる恐れがある。しかし、本実施の形態に係るヘアーアイロン１のように、加圧空間７０を形成して内圧を大気圧よりも高い圧力に維持することで、上記したような噴出力にバラつきが生じる恐れを解消することができる。
【００４６】
上記した通り、噴出孔２５又は噴出孔群２６が形成されている箇所には、筐体７の表面が第１毛髪挟持面２１となっており、この第１毛髪挟持面２１と上記した第２毛髪挟持面２２とで毛髪を挟持することによって毛髪に熱やスチームを与えて、所定のカール形状に癖付けを行っていく。そのため、第１毛髪挟持面２１は、所定の温度、例えば１５０℃から２００℃程度まで加熱することが必要になる。そのために、噴出部１１の近傍には、第１毛髪挟持面２１を加熱するための第２加熱部７１が配置されている。
【００４７】
第２加熱部７１は、第１加熱部６９とは別個に設けられている部材であり、第１毛髪挟持面２１を１５０℃から２００℃までに加熱するためのものである。また、この第２加熱部７１は、第１毛髪挟持面２１のみならず、加圧空間７０も１５０℃から２００℃まで加熱する。これは、第２加熱部７１が配置されている箇所が加圧空間７０の近傍であり、第１毛髪挟持面２１を上記した温度まで加熱しようとすると、第１毛髪挟持面２１の近傍であって、第２加熱部７１の近傍にも位置する加圧空間７０も併せて加熱されることによる。そのため、本実施の形態では、第２加熱部７１が加熱を開始すると、第１毛髪挟持面２１と加圧空間７０とのいずれもが加熱されることになる。
【００４８】
上記した通り、加圧空間７０には、スチーム発生部１０において発生したスチームが供給される。スチーム発生部１０においては、１５０℃から２００℃にまで加熱されたスチームが生成され、そのスチームが加圧空間７０内や噴出部１１に供給される。しかしながら、スチーム発生部１０から噴出部１１や加圧空間７０に移送されるまでの間に、スチームの温度がスチーム発生部１０において加熱された温度よりも下がることがある。つまり、スチーム発生部１０において発生した時に比べて、加圧空間７０に移送された時のスチームの温度が低くなっていることがある。このような場合に、本実施の形態に係るヘアーアイロン１では、第２加熱部７１が噴出部１１を加熱するので、発生した時に比べて温度が低くなったスチームを噴出部１１や加圧空間７０内において再度加熱して、所定の温度にまで上げることができる。
そのため、本実施の形態に係るヘアーアイロン１によれば、噴出孔２５又は噴出孔群２６から噴出されるスチームの温度をより正確に精度よく保持することができるとともに、毛髪に対するカール機能をより強固に発生させることができる。
【００４９】
［第１移送管１２の構成について］
第１移送管１２は、液体タンク８と送液ポンプ９との間をつなぐ管状の部材である。この第１移送管１２の材質は特に限定されるものではなく、例えば金属管を用いてもよいし、可撓性を有する部材により形成してもよい。この第１移送管１２は、一端が液体タンク８の蓋部４３に形成されている接続部４７と接続する被接続部４７として形成されており、他端が送液ポンプ９の流入側端部に接続されている。
【００５０】
［第２移送管１３の構成について］
第２移送管１３は、送液ポンプ９とスチーム発生部１０との間をつなぐ管状の部材である。この第２移送管１３の材質は特に限定されるものではなく、例えば金属管を用いてもよいし、可撓性を有する部材により形成してもよい。この第２移送管１３は、一端が送液ポンプ９の流出側端部に接続され、他端がスチーム発生部１０の密閉蓋部材６２を挿通されて第１通過室６４内に配置されるようにして接続されている。
【００５１】
［第３移送管１４の構成について］
第３移送管１４は、スチーム発生部１０と噴出部１１との間をつなぐ管状の部材である。この第３移送管１４の材質は特に限定されるものではなく、例えば金属管を用いてもよいし、可撓性を有する部材により形成してもよい。ただし、第３移送管１４により移送されるスチームは、約１００℃から２００℃まで加熱されているスチーム（蒸気）であるため、スチームを移送することのできる温度に耐えられる耐熱性を有していることが好ましい。この第３移送管１４は、一端がスチーム発生部１０の密閉蓋部材６２に挿通されて第２通過室６５内に配置されるように接続され、他端が噴出部１１の流入側端部に接続されている。
【００５２】
上記した第２移送管１３及び第３移送管１４は、配管の径がそれぞれ異なるように形成されている。即ち、第２移送管１３は第３移送管１４よりも大径であり、逆に第３移送管１４は第２移送管１３よりも小径であるように形成されている。これは、第２移送管１３は液体を蒸発空間６６に流入させるためのものであるためにある一定量の液体を順次供給する必要があるために大径であることが必要であるからである。また、第３移送管１４は、蒸気を噴出部１１に供給するための管であり、噴出部１１において後述する加圧空間７０内に蒸気を供給するに当たり、蒸発空間６６内の内圧も加圧空間７０内の内圧と同じか、又は加圧空間７０内の内圧よりも大きくする必要があるために、第３移送管１４の径が小径であることが必要となる。
【００５３】
つまり、蒸発空間６６の内圧を加圧空間７０内の内圧と同じかそれ以上にするためには、蒸気が発生する量よりも上記を流出させる量の方が大きくする必要があり、そのために本実施の形態に係るヘアーアイロン１では第２移送管１３の径を第３移送管１４の径よりも大きくしているのである。このように構成することで、蒸発空間６６内において発生する蒸気の量が蒸発空間６６から流出する蒸気の量よりも多くすることができ、蒸気空間内の内圧を加圧空間７０内の内圧と同じか又はそれ以上にすることができるようになっている。
【００５４】
［ヘアーアイロン１の電気的な構成について］
次に、本実施の形態に係るヘアーアイロン１の電気的な構成について説明する。
図５に示すように、ヘアーアイロン１は、制御部８１を有しており、この制御部８１でヘアーアイロン１の総括的な制御を行っている。制御部８１の入力端側には電源スイッチ１６、近接スイッチ２７、温度設定スイッチ１７及び温度センサ８２が電気的に接続されている。また、制御部８１の出力端側には、送液ポンプ９、第１加熱部６９、第２加熱部７１及び温度表示部１８が電気的に接続されている。また、制御部８１をはじめとするヘアーアイロン１の駆動は、図示しない外部電源からの電力の供給を受けて行われている。
【００５５】
電源スイッチ１６は、ヘアーアイロン１をオン又はオフするためのスイッチである。電源スイッチ１６をオンにすると外部電源からの給電が開始され、電源スイッチ１６をオフにすると外部電源からの給電が遮断される。
【００５６】
近接スイッチ２７は、レバー３３が筐体７に近接する位置にあるか否かを検知することによりオン又はオフになるスイッチである。レバー３３が筐体７に近接する位置にあることが検知されると近接スイッチ２７がオンになり、レバー３３が筐体７に近接する位置にあることが検知されないと近接スイッチ２７がオフになるように設定されている。なお、この近接スイッチ２７のオン又はオフにする検知は従来から公知のものを任意に使用してよいし、オン又はオフに切り替える検知感度も任意に設定してよい。
【００５７】
温度設定スイッチ１７は、第２加熱部７１の設定温度を上げ下げする時に操作するためのスイッチである。この温度設定スイッチ１７は、例えば５℃刻みで設定することができるようになっており、使用者が操作することによって、使用者が所望する任意の温度に設定することができるようになっている。
【００５８】
温度センサ８２は、第１毛髪挟持面２１の温度を検知するためのセンサである。上記した通り、第１毛髪挟持面２１は毛髪に直接接する面であり、ここでの温度を調節することにより、第２加熱部７１を駆動させるか否かを制御部８１が判断するようになっている。なお、制御部８１は、温度センサ８２から入力する検知信号を受けることによってフィードバック制御によって第２加熱部７１の駆動又は停止を切り換えるようにしてもよいし、他の制御方法によって第２加熱部７１の駆動又は停止を切り換えるようにしてもよい。
【００５９】
送液ポンプ９は、貯留部４１の液体を蒸発空間６６に移送するためのものである。送液ポンプ９は、制御部８１から駆動信号を受け取ると駆動を開始して、貯留部４１の液体の蒸発空間６６への移送を開始する。また、送液ポンプ９は、制御部８１から停止信号を受け取ると駆動を停止して、貯留部４１の液体の蒸発空間６６への移送を停止する。
【００６０】
第１加熱部６９は、スチーム発生部１０を加熱するためのものである。この第１加熱部６９は、制御部８１から、該第１加熱部６９をオンにする旨の信号を受け取ると、電力の供給を受けて加熱を開始する。また、第１加熱部６９は、制御部８１から、該第１加熱部６９をオフにする旨の信号を受け取ると、電力の供給を停止して加熱を停止する。
【００６１】
第２加熱部７１は、第１毛髪挟持面２１及び噴出部１１を加熱するためのものである。この第２加熱部７１は、制御部８１から、該第２加熱部７１をオンにする旨の信号を受け取ると、電力の供給を受けて加熱を開始する。また、第２加熱部７１は、制御部８１から、該第２加熱部７１をオフにする旨の信号を受け取ると、電力の供給を停止して加熱を停止する。
【００６２】
温度表示部１８は、例えば７セグメント液晶表示部や７セグメントＬＥＤなどが使用されている。この温度表示部１８は、制御部８１から温度表示信号の出力を受け取ると、その温度表示信号の内容に基づいた数値、品和知温度設定スイッチ１７の操作によって設定された温度を表示する。
【００６３】
［ヘアーアイロン１の動作について］
次に、本実施の形態に係るヘアーアイロン１の動作、作用効果について説明する。本実施の形態に係るヘアーアイロン１は、図６に基づく流れで一連の動作を行うように構成されている。
【００６４】
まず、ヘアーアイロン１は、使用者によって電源スイッチ１６がオンにされると、制御部８１は、外部からの電力の供給を開始するように制御する。そして、供給された電力は第１加熱部６９及び第２加熱部７１に供給される。電力の供給を受けた第１加熱部６９は、所定の温度、例えば２００℃まで加熱し、その熱によってスチーム発生部１０を所定温度まで加熱する。また、第２加熱部７１は、所定の温度、例えば２００℃まで加熱し、第１毛髪挟持面２１を所定温度まで加熱するとともに、噴出部１１も同時に加熱する。
【００６５】
次に、制御部８１は、近接スイッチ２７がオンにするか否かを一定の周期で判定する。使用者が電源スイッチ１６をオンにしてヘアーアイロン１の余熱が完了したと判断すると、ヘアーのセットを行うための施術を開始する。この時、使用者は、レバー３３を上げ下げすることによって第２毛髪挟持部６を閉じ位置と開き位置との間で回動させながら施術を行っていく。ここで、使用者がレバー３３を下げて該レバー３３が筐体７に所定量だけ近接する位置に到達したことを検知すると、近接スイッチ２７がオンになったことを制御部８１は受信する。そして、制御部８１は、次に使用者がレバー３３をあげて該レバー３３が筐体７から所定量よりも離れたことを検知すると、近接スイッチ２７をオフになったことを受信する。
【００６６】
制御部８１は、近接スイッチ２７がオフになったことを検知すると、送液ポンプ９に駆動信号を出力する。送液ポンプ９は、制御部８１から駆動信号を受け取ると、外部からの電力の供給を受けて駆動を開始する。送液ポンプ９が駆動を開始すると、液体タンク８内の貯留部４１に貯留している液体が流入管４５の流入口４４から流入し、さらには第１移送管１２を通じて送液ポンプ９まで該液体が移送される。この液体はさらに第２移送管１３を通じてスチーム発生部１０に移送される。スチーム発生部１０においては、第２移送管１３から吐出された液体はチャンバ６１内の第１通過室６４に流入する。この時、スチーム発生部１０は第１加熱部６９によって例えば２００℃まで加熱されているので、液体が第１通過室６４に流入すると瞬時に蒸発し、蒸気が発生する。第１通過室６４において発生した蒸気は、屈曲するように形成された蒸気通路６３を通って順次第２通過室６５に供給される。
【００６７】
第２通過室６５には、上記した通り第３移送管１４の一端側の端部が配置されている。そのため、蒸気は第３移送管１４の内部に流入し、順次第３移送管１４を通じて噴出部１１に移送される。噴出部１１では、供給された蒸気が噴出孔２５又は噴出孔群２６から毛髪に対して噴出する。この時、噴出部１１は、第２加熱部７１によって例えば２００℃まで加熱されており、第１毛髪挟持面２１も所定の温度まで上昇した状態で使用するので、毛髪に対して所定の熱と蒸気を与えることによって、所定のカール形状を毛髪に付与したりそれ以外の形状を付与したりすることができる。
【００６８】
この時、噴出部１１は、第２加熱部７１によって約２００℃まで加熱されているので、第３移送管１４で移送されて噴出部１１に流入した蒸気は該噴出部１１において再度加熱されることになる。これはスチーム発生部１０において発生した蒸気が第３移送管１４で移送される間に温度が低くなることがあり、その温度が低くなった蒸気を毛髪に付与して所定の形状を付与する際の効果が低減するのを防ぐためである。このように、噴出部１１においても蒸気を再度加熱することによって、毛髪に対して適切な温度の蒸気を付与することができ、適切な形状の毛髪に仕上げることができる。また、高温の液体が毛髪や頭皮等に付着することで火傷をしたりするのを防止することも可能になる。また、毛髪に対してストレートやカールの両方の形状を一つのヘアーアイロン１で付与することができたり、カールを付与する際に、そのカール径を任意に調節しながら付与することができ、使用者のニーズにより適合したヘアーアイロン１を提供することができる。
【００６９】
次に、制御部８１は、送液ポンプ９をオンにしてから１０秒経過したか否かを所定の周期で確認を行い、送液ポンプ９をオンにしてから１０秒経過したと判断した場合には送液ポンプ９に対して停止信号を送信する。停止信号を受け取った送液ポンプ９は駆動を停止して、液体の移送を停止する。このように、送液ポンプ９を１０秒間だけオンにすることによって、施術時以外のタイミングで蒸気が噴出されるのを防ぐことができ、よりヘアーアイロン１の使い勝手の良さを向上させることが可能になる。
【００７０】
次に、制御部８１は、電源スイッチ１６がオフになったかを判定し、電源スイッチ１６がオフになっていないと判断した場合には、近接スイッチ２７がオンになったか否かを再度判定し、上記した以降のステップを電源スイッチ１６がオフになったと判定するまでの間、繰り返し行うように制御する。
【００７１】
そして、制御部８１は、電源スイッチ１６がオフになったと判断した場合には、第１加熱部６９及び第２加熱部７１をオフにして、一連の動作を終了する。
【００７２】
このように、本発明に係るヘアーアイロン１によレバー３３、毛髪に対してストレートやカールの両方の形状を一つのヘアーアイロン１で付与することができたり、カールを付与する際に、そのカール径を任意に調節しながら付与することができ、使用者のニーズにより適合したヘアーアイロン１を提供することができる。さらに、その際に蒸気をスチーム発生部１０と噴出部１１とで加熱した後に毛髪に噴出するので、毛髪に対してより形状を付与し易くすることが可能になる。また、液体タンク８においても、ヘアーアイロン１の姿勢の変化があったとしても、常時液体を移送することができるので、施術中にも安定して蒸気を噴出させることができる。そのため、本発明に係るヘアーアイロン１によレバー３３、毛髪に所定の形状を付与する場合においても、より形状を付与し易く、取扱いのよいヘアーアイロン１を提供することが可能になる。
【００７３】
以上、本発明に係るヘアーアイロンの構成について詳細に説明したが、上記したのは本発明に係るヘアーアイロンの実施の形態に過ぎないものであり、本発明の趣旨を逸脱しない範囲において、適宜変更してよい。
【符号の説明】
【００７４】
１  ヘアーアイロン
２  グリップ部
３  毛髪挟持部
４  本体部
５  第１毛髪挟持部
６  第２毛髪挟持部
８  液体タンク
９  送液ポンプ
１０  スチーム発生部
１１  噴出部
１２  第１移送管
１３  第２移送管
１４  第３移送管
２１  第１毛髪挟持面
２２  第２毛髪挟持面
２５  噴出孔
２６  噴出孔群
２７  近接スイッチ
３１  クリップ部
３２  ヒンジ部
３３  レバー
４１  貯留部
４２  タンク本体
４３  蓋部
４５  流入管  
４６  錘
６３  上記通路
６４  第１通過室
６５  第２通過室
６６  蒸発空間
６９  第１加熱部
７０  加圧空間
７１  第２加熱部
【図１】
2018158013.tif 000003
【図２】
2018158013.tif 000004
【図３】
2018158013.tif 000005
【図４】
2018158013.tif 000006
【図５】
2018158013.tif 000007
【図６】
2018158013.tif 000008